(57)【要約】【課題】  冷蔵室の温度偏差を最小化するとともに、消費電力を最小化できる冷蔵庫の温度制御方法を提供する。【解決手段】  冷凍室の感知温度を冷凍室上限設定温度および冷凍室下限設定温度と比較し、冷凍室の感知温度が冷凍室上限設定温度と冷凍室下限設定温度との間の範囲に到るように圧縮器および循環ファンをオン/オフさせる第１段階と；前記第１段階の後、冷蔵室の感知温度を冷蔵室上限設定温度および冷蔵室下限設定温度と比較し、冷蔵室の感知温度が冷蔵室上限設定温度と冷蔵室下限設定温度との間の範囲に到るようにダンパーおよび循環ファンをオン/オフさせる第２段階と；前記第１段階で前記圧縮器および循環ファンがオンであり且つ前記第２段階で前記ダンパーが密閉であれば、前記冷蔵室の複数の冷蔵空間のうち少なくとも一つの空間に冷気を吐出させる第３段階と、を含めて構成される冷蔵庫の温度制御方法を提供する。【選択図】      図９
2004301493.tif 000002
【特許請求の範囲】
【請求項１】
冷凍室の感知温度を冷凍室上限設定温度および冷凍室下限設定温度と比較し、冷凍室の感知温度が冷凍室上限設定温度と冷凍室下限設定温度との間の範囲に到るように圧縮器および循環ファンをオン/オフさせる第１段階と；
前記第１段階の後、冷蔵室の感知温度を冷蔵室上限設定温度および冷蔵室下限設定温度と比較し、冷蔵室の感知温度が冷蔵室上限設定温度と冷蔵室下限設定温度との間の範囲に到るようにダンパーおよび循環ファンをオン/オフさせる第２段階と；
前記第１段階で前記圧縮器および循環ファンがオンであり且つ前記第２段階で前記ダンパーが密閉であれば、前記冷蔵室の複数の冷蔵空間のうち少なくとも一つの空間に冷気を吐出させる第３段階と、を含めて構成されたことを特徴とする冷蔵庫の温度制御方法。
【請求項２】
前記第１段階は、前記圧縮器がオンの場合、圧縮器クーリングファンをオンにし、前記圧縮器がオフの場合、圧縮器クーリングファンをオフにすることを特徴とする請求項１に記載の冷蔵庫の温度制御方法。
【請求項３】
前記第３段階は、冷気の吐出のために前記少なくとも一つの冷蔵空間に向けて出口が開閉可能に装着されたノズルを開放させる段階を含むことを特徴とする請求項１に記載の冷蔵庫の温度制御方法。
【請求項４】
前記冷蔵庫の温度制御方法は、前記第１段階と第２段階で前記圧縮器および循環ファンがオンであり、前記ダンパーが開放であれば、前記冷蔵室の複数の冷蔵空間のうち少なくとも一つの空間に冷気を吐出させない第４段階を含めて構成されたことを特徴とする請求項１に記載の冷蔵庫の温度制御方法。
【請求項５】
前記冷蔵庫の温度制御方法は、前記第１段階で圧縮器がオフであり、前記第２段階で循環ファンがオンであり、前記ダンパーが開放であれば、前記冷蔵室の複数の冷蔵空間のうち少なくとも一つの空間に冷気を吐出させない第４段階を含めて構成されたことを特徴とする請求項１に記載の冷蔵庫の温度制御方法。
【請求項６】
前記冷蔵庫の温度制御方法は、前記第１段階で圧縮器がオフであり、前記第２段階で循環ファンがオンであり、前記ダンパーが密閉であれば、前記冷蔵室の複数の冷蔵空間のうち少なくとも一つの空間に冷気を吐出させない第４段階を含めて構成されたことを特徴とする請求項１に記載の冷蔵庫の温度制御方法。
【請求項７】
前記第１段階は、
前記冷凍室の感知温度が冷凍室上限設定温度より高いか等しいと、圧縮器および循環ファンをオンにし、
前記冷凍室の感知温度が冷凍室下限設定温度より低いと、圧縮器をオフにすることを特徴とする請求項１に記載の冷蔵庫の温度制御方法。
【請求項８】
前記冷蔵庫の温度制御方法は、
前記第１段階で前記圧縮器および循環ファンがオンになり、前記第２段階で前記冷蔵室の感知温度が冷蔵室上限設定温度より高いか等しいと、前記ダンパーを開放させ、
前記第１段階で前記圧縮器および循環ファンがオンになり、前記第２段階で前記冷凍室の感知温度が冷蔵室下限設定温度より低いと、前記ダンパーを密閉させることを特徴とする請求項１に記載の冷蔵庫の温度制御方法。
【請求項９】
前記冷蔵庫の温度制御方法は、
前記第１段階で前記圧縮器がオフになり、前記第２段階で前記冷蔵室の感知温度が冷蔵室上限設定温度より高いか等しいと、前記ダンパーを開放させるとともに、循環ファンをオンにし、
前記第１段階で前記圧縮器がオフになり、前記第２段階で前記冷凍室の感知温度が冷蔵室下限設定温度より低いと、前記ダンパーを密閉させるとともに、循環ファンをオフにすることを特徴とする請求項１に記載の冷蔵庫の温度制御方法。
【請求項１０】
前記冷凍室上限設定温度は、使用者が設定した冷凍室希望温度に設定誤差範囲を加算した温度であり、
前記冷凍室下限設定温度は、使用者が設定した冷凍室希望温度から設定誤差範囲を減算した温度であることを特徴とする請求項１に記載の冷蔵庫の温度制御方法。
【請求項１１】
前記冷蔵室上限設定温度は、使用者が設定した冷蔵室希望温度に設定誤差範囲を加算した温度であり、
前記冷蔵室下限設定温度は、使用者が設定した冷蔵室希望温度から設定誤差範囲を減算した温度であることを特徴とする請求項１に記載の冷蔵庫の温度制御方法。
【請求項１２】
冷凍室の感知温度を冷凍室上限設定温度および冷凍室下限設定温度と比較し、冷凍室の感知温度が冷凍室上限設定温度と冷凍室下限設定温度との間の範囲に到るように圧縮器および循環ファンをオン/オフさせる第１段階と；
前記第１段階の後、冷蔵室の感知温度を冷蔵室上限設定温度および冷蔵室下限設定温度と比較し、冷蔵室の感知温度が冷蔵室上限設定温度と冷蔵室下限設定温度との間の範囲に到るようにダンパーおよび循環ファンをオン/オフさせる第２段階と；
前記第１段階で前記圧縮器および循環ファンがオンであり、前記第２段階で前記ダンパーが密閉であり、ノズルタイマが開放信号を出力すると、前記冷蔵室の複数の冷蔵空間のうち少なくとも一つの空間に冷気を吐出させる第３段階と、を含めて構成されたことを特徴とする冷蔵庫の温度制御方法。
【請求項１３】
前記圧縮器および循環ファンがオンであり、前記ダンパーが密閉であり、前記ノズルタイマが密閉信号を出力すると、前記冷蔵室の複数の冷蔵空間に冷気を吐出させない第４段階を含めて構成されたことを特徴とする請求項１２に記載の冷蔵庫の温度制御方法。
【請求項１４】
前記第１段階は、前記圧縮器がオンの場合、圧縮器クーリングファンをオンにし、前記圧縮器がオフの場合、圧縮器クーリングファンをオフにすることを特徴とする請求項１２に記載の冷蔵庫の温度制御方法。
【請求項１５】
前記第３段階は、冷気の吐出のために前記少なくとも一つの冷蔵空間に向けて出口が開閉可能に装着されたノズルを開放させる段階を含むことを特徴とする請求項１２に記載の冷蔵庫の温度制御方法。
【請求項１６】
前記第１段階は、
前記冷凍室の感知温度が冷凍室上限設定温度より高いか等しいと、圧縮器および循環ファンをオンにし、
前記冷凍室の感知温度が冷凍室下限設定温度より低いと、圧縮器をオフにすることを特徴とする請求項１２に記載の冷蔵庫の温度制御方法。
【請求項１７】
前記冷蔵庫の温度制御方法は、
前記第１段階で前記圧縮器および循環ファンがオンになり、前記第２段階で前記冷蔵室の感知温度が冷蔵室上限設定温度より高いか等しいと、前記ダンパーを開放させ、
前記第１段階で前記圧縮器および循環ファンがオンになり、前記第２段階で前記冷凍室の感知温度が冷蔵室下限設定温度より低いと、前記ダンパーを密閉させることを特徴とする請求項１２に記載の冷蔵庫の温度制御方法。
【請求項１８】
前記冷蔵庫の温度制御方法は、
前記第１段階で前記圧縮器がオフになり、前記第２段階で前記冷蔵室の感知温度が冷蔵室上限設定温度より高いか等しいと、前記ダンパーを開放させるとともに、循環ファンをオンにし、
前記第１段階で前記圧縮器がオフになり、前記第２段階で前記冷凍室の感知温度が冷蔵室下限設定温度より低いと、前記ダンパーを密閉させるとともに、循環ファンをオフにすることを特徴とする請求項１２に記載の冷蔵庫の温度制御方法。
【請求項１９】
前記冷凍室上限設定温度は、使用者が設定した冷凍室希望温度に設定誤差範囲を加算した温度であり、
前記冷凍室下限設定温度は、使用者が設定した冷凍室希望温度から設定誤差範囲を減算した温度であることを特徴とする請求項１２に記載の冷蔵庫の温度制御方法。
【請求項２０】
前記冷蔵室上限設定温度は、使用者が設定した冷蔵室希望温度に設定誤差範囲を加算した温度であり、
前記冷蔵室下限設定温度は、使用者が設定した冷蔵室希望温度から設定誤差範囲を減算した温度であることを特徴とする請求項１２に記載の冷蔵庫の温度制御方法。
【発明の詳細な説明】
【技術分野】
【０００１】
本発明は、冷蔵庫の温度制御方法に関し、特に、圧縮器および循環ファンを追加的に駆動することなく冷蔵室の弱冷部位に冷気を供給して冷蔵室の温度偏差を最小化するとともに、消費電力を最小化できる冷蔵庫の温度制御方法に関する。
【背景技術】
【０００２】
一般に、冷蔵庫とは、圧縮器と凝縮器と膨脹器と蒸発器とからなる冷媒の冷凍サイクル装置を利用して冷凍室と冷蔵室を低温に維持させる装置のことをいう。
【０００３】
図１は、従来の技術に係る冷蔵庫において冷凍室および冷蔵室が開放された状態を示す斜視図である。
【０００４】
従来の技術に係る冷蔵庫は、図１に示すように、冷凍室Ｆと冷蔵室Ｒがバリア２により左右に仕切られ、前記冷凍室Ｆの前方に冷凍室Ｆを開閉するための冷凍室ドア４が開閉可能に取り付けられ、前記冷蔵室Ｒの前方に冷蔵室Ｒを開閉するための冷蔵室ドア６が開閉可能に取り付けられている。
【０００５】
図２は、従来の技術に係る冷蔵庫の内部構成を示す正面図であり、図３は、従来の技術に係る冷蔵庫の冷蔵室内部構成を示す側面図である。
【０００６】
図２および図３に示すように、前記冷凍室Ｆの後方には冷凍室Ｆまたは冷蔵室Ｒの空気と冷媒との熱交換により空気から熱を吸収しながら冷媒が蒸発される蒸発器８が配設され、前記蒸発器８に吸熱されて冷却された空気を前記冷凍室Ｆまたは冷蔵室Ｒに強制対流させるための循環ファン１０が取り付けられる。
【０００７】
前記冷凍室Ｆは、背面の一側上部に前記蒸発器８により冷却された冷気が前記循環ファン１０により冷凍室Ｆに吐出されるように冷気吐出孔１２が形成され、背面の一側下部には前記冷凍室Ｆを低温冷凍させた冷気が前記蒸発器８に循環されるように冷気リターン孔１４が形成される。
【０００８】
前記冷凍室Ｆには、内部を複数の冷凍空間Ｆ１〜Ｆ６に仕切るとともに、食品または容器が載せられる複数の棚１５〜１９が互に上下方向に隔てて設けられている。
【０００９】
そして、前記バリア２は、上部一側に前記蒸発器８により冷却された冷気の一部が前記循環ファン１０により冷蔵室Ｒに吐出されるように冷気吐出ダクト２１が形成され、下部一側には前記冷蔵室Ｒを低温冷蔵させた冷気が前記蒸発器８に循環されるように冷気リターンダクト２２が形成される。
【００１０】
前記冷気吐出ダクト２１の一側または冷蔵室Ｒの上部には、前記冷蔵室Ｒに冷気が吐出されるか否かを決定するために開閉されるダンパー２４が装着される。
【００１１】
一方、前記冷蔵室Ｒには、内部を複数の冷蔵空間Ｒ１〜Ｒ６に仕切るとともに、食品または容器が載せられる複数の冷蔵室の棚２５〜２９が上下方向に隔てて設けられている。
【００１２】
また、前記冷蔵室ドア６には、その背面に食品または容器が受納される複数のドア棚３１〜３５が上下方向にお互い隔てて設けられる。
【００１３】
ここで、前記冷蔵室の棚２５〜２９の各々は、その先端が前記冷蔵室ドア６の背面および前記複数のドア棚３１〜３５と隔てて配置され、冷気通路を形成する。
【００１４】
未説明符号４４は、前記冷凍室Ｆの一側温度を感知する冷凍室温度センサーであり、未説明符号４５は前記冷蔵室Ｒの一側温度を感知する冷蔵室温度センサーである。
【００１５】
図４は、従来の技術に係る冷蔵庫の制御ブロック図である。
【００１６】
従来の技術に係る冷蔵庫は、図４に示すように、前記蒸発器８を通過した低温低圧の気体冷媒を高温高圧の気体冷媒に圧縮する圧縮器４１と、該圧縮器４１で圧縮された高温高圧の気体冷媒が冷蔵庫の外部空気に放熱されながら中温高圧の液体冷媒に凝縮される凝縮器と、前記凝縮器で凝縮された高圧の液体冷媒が蒸発し易くなるように減圧される膨脹器と、前記圧縮器４１の過熱を防止するように前記圧縮器４１を冷却させる圧縮器クーリングファン４２と、をさらに含めて構成される。
【００１７】
また、前記従来の冷蔵庫は、冷凍室Ｆまたは冷蔵室Ｆの上限/下限設定温度を設定する温度設定部４３と、前記冷凍室Ｆおよび冷蔵室Ｒの感知温度と上限/下限設定温度との比較に基づいて前記ダンパー２４の開閉と前記循環ファン１０と圧縮器４１と圧縮器クーリングファン４２のオン/オフを制御する制御部４６をさらに含めて構成される。
【００１８】
ここで、前記上限/下限設定温度は、使用者により設定された希望温度に対して誤差範囲を加減した温度で決定されるか、その各々が個別的に設定される。
【００１９】
次に上記の如く構成された従来の技術に係る冷蔵庫の温度制御方法を説明する。
【００２０】
図５は、従来の技術に係る冷蔵庫における温度制御方法を示す順序図である。
【００２１】
まず、前記冷蔵庫は、前記制御部４６が前記冷凍室温度センサー４４で感知された冷凍室Ｆの温度(Tf)と冷凍室Ｆの上限設定温度(Tfmax)とを比較する(Ｓ１)。
【００２２】
前記冷凍室上限設定温度(Tfmax)は、使用者が設定した冷凍室希望温度に設定誤差範囲を加算した温度である。
【００２３】
上記比較の結果、前記冷凍室Ｆの温度(Tf)が冷凍室Ｆの上限設定温度(Tfmax)より高いか等しいと判断されると、前記制御部４６は、前記循環ファン１０と圧縮器４１と圧縮器クーリングファン４２をオンにする(Ｓ２)。
【００２４】
このように前記循環ファン１０および圧縮器４１がオンになると、冷凍室Ｆ内の空気が前記蒸発器８と冷凍室Ｆを循環しながら冷凍室Ｆが低温に冷凍される。
【００２５】
その後、前記制御部４６は前記冷蔵室温度センサー４５で感知された冷蔵室Ｒの温度(Tr)と冷蔵室Ｒの上限設定温度(Trmax)とを比較する(Ｓ３)。
【００２６】
前記冷蔵室上限設定温度(Trmax)は使用者が設定した冷蔵室希望温度に設定誤差範囲を加算した温度である。
【００２７】
前記比較結果、前記冷蔵室Ｒの温度(Tr)が冷蔵室Ｒの上限設定温度(Trmax)より高いか等しいと判断されると、前記制御部４６は前記ダンパー２４を開放させる(Ｓ４)。
【００２８】
前記ダンパー２４の開放により、前記蒸発器８により冷却された空気の一部は前記冷気吐出ダクト２１を通じて冷蔵室Ｒに吐出され、吐出された冷気は前記冷蔵室Ｒの内部を対流しながらその内部を低温冷蔵させ、前記冷蔵室Ｒの下側方向に移動して前記冷気リターンダクト２２を通じて蒸発器８に循環される。
【００２９】
一方、前記制御部４６は、前記冷蔵室Ｒの温度(Tr)と冷蔵室Ｒの上限設定温度(Trmax)との比較結果、前記冷蔵室Ｒの温度(Tr)が冷蔵室Ｒの上限設定温度(Trmax)より低いと判断されると、前記冷蔵室Ｒの温度(Tr)と冷蔵室Ｒの下限設定温度(Trmin)とを比較する(Ｓ５)。
【００３０】
前記冷蔵室下限設定温度(Trmin)は、使用者が設定した冷蔵室希望温度から設定誤差範囲を減算した温度である。
【００３１】
前記比較の結果、前記冷蔵室Ｒの温度(Tr)が冷蔵室Ｒの下限設定温度(Trmin)より低いと判断されると、前記制御部４６は前記ダンパー２４を密閉させる(Ｓ６)。
【００３２】
このようにダンパー２４を密閉すると、前記冷蔵室Ｒには冷気がそれ以上吐出されなくなるので、冷蔵室Ｒの内部は過冷されない。
【００３３】
また、前記制御部４６は、前記冷凍室Ｆの温度(Tf)と冷凍室Ｆの上限設定温度(Tfmax)との比較結果、前記冷凍室Ｆの温度(Tf)が冷凍室Ｆの上限設定温度(Tfmax)より低いと判断されると、前記冷凍室Ｆの温度(Tf)と冷凍室Ｆの下限設定温度(Tfmin)とを比較する(Ｓ７)。
【００３４】
前記冷凍室下限設定温度(Tfmin)は、使用者が設定した冷凍室希望温度から設定誤差範囲を減算した温度である。
【００３５】
前記比較の結果、前記冷凍室Ｆの温度(Tf)が冷凍室Ｆの下限設定温度(Tfmax)より低いと判断されると、制御部４６は前記圧縮器４１と圧縮器クーリングファン４２をオフにする(Ｓ８)。
【００３６】
このように前記圧縮器４１がオフになると、時間の経過につれて前記蒸発器８の冷媒温度が上昇し、これにより、前記冷凍室Ｆと蒸発器８を循環する空気が昇温され、冷凍室Ｆが過冷されなくなる。
【００３７】
その後、前記制御部４６は、前記冷蔵室温度センサー４５で感知された冷蔵室Ｒの温度(Tr)と冷蔵室Ｒの上限設定温度(Trmax)とを比較する(Ｓ９)。
【００３８】
その比較結果、前記冷蔵室Ｒの温度(Tr)が冷蔵室Ｒの上限設定温度(Trmax)より高いか等しいと判断されると、前記制御部４６は、前記ダンパー２４を開放させ、前記循環ファン１０をオンにする(Ｓ１０)。
【００３９】
このように前記ダンパー２４と循環ファン１０がオンになると、前記蒸発器８により冷却された空気の一部が前記冷気吐出ダクト２１を通じて前記冷蔵室Ｒに吐出され、吐出された冷気は前記冷蔵室Ｒの内部を対流しながらその内部を低温冷蔵させ、前記冷蔵室Ｒの下側方向に移動して前記冷気リターンダクト２２を通じて蒸発器８に循環される。
【００４０】
一方、前記制御部４６は、前記冷蔵室Ｒの温度(Tr)と冷蔵室Ｒの上限設定温度(Trmax)との比較結果、前記冷蔵室Ｒの温度(Tr)が冷蔵室Ｒの上限設定温度(Trmax)より低いと判断されると、前記冷蔵室Ｒの温度(Tr)と冷蔵室Ｒの下限設定温度(Trmin)とを比較する(Ｓ１１)。
【００４１】
その比較結果、前記冷蔵室Ｒの温度(Tr)が冷蔵室Ｒの下限設定温度(Trmin)より低いと判断されると、前記制御部４６は、前記ダンパー２４を密閉させ、前記循環ファン１０をオフにする(Ｓ１２)。
【００４２】
このように前記ダンパー２４を密閉し、前記循環ファン１０をオフにすると、前記冷蔵室Ｒには冷気が吐出されず、冷蔵室Ｒの内部は過冷されなくなる。
【００４３】
しかし、上記の従来技術に係る冷蔵庫における温度制御方法では、前記冷蔵室Ｒに吐出された冷気が前記冷蔵室Ｒの内部に均一に対流されるのには限界があったため、冷気の対流が相対的に弱い弱冷部位が発生し、結果として前記冷蔵室Ｒに温度偏差が発生してしまうという問題点があった。
【００４４】
そこで、弱冷部位に冷気が吐出されるように第２冷気吐出ダクトを前記バリア２の内部にさらに形成し、前記第２冷気吐出ダクトにノズルを配設することによって、上述したような冷蔵室Ｒにおける温度偏差を解消しようとする工夫もあったが、前記ノズルを前記ダンパー２４と同時に開閉する場合、温度偏差の改善度合いは僅かな水準に留まった。
【発明の開示】
【発明が解決しようとする課題】
【００４５】
本発明は、上記の従来技術の問題点に鑑みてなされたものであり、その目的は、冷蔵室における温度偏差を最小化するとともに、消費電力を最小化できる冷蔵庫の温度制御方法を提供することにある。
【課題を解決するための手段】
【００４６】
上記の目的を達成するために、本発明は、冷凍室の感知温度を冷凍室上限設定温度および冷凍室下限設定温度と比較し、冷凍室の感知温度が冷凍室上限設定温度と冷凍室下限設定温度との間の範囲に到るように圧縮器および循環ファンをオン/オフさせる第１段階と；前記第１段階の後、冷蔵室の感知温度を冷蔵室上限設定温度および冷蔵室下限設定温度と比較し、冷蔵室の感知温度が冷蔵室上限設定温度と冷蔵室下限設定温度との間の範囲に到るようにダンパーおよび循環ファンをオン/オフさせる第２段階と；前記第１段階で前記圧縮器および循環ファンがオンであり、前記第２段階で前記ダンパーが密閉であれば、前記冷蔵室の複数の冷蔵空間のうち少なくとも一つの空間に冷気を吐出させる第３段階と、を含めて構成される冷蔵庫の温度制御方法を提供する。
【００４７】
また、本発明は、冷凍室の感知温度を冷凍室上限設定温度および冷凍室下限設定温度と比較し、冷凍室の感知温度が冷凍室上限設定温度と冷凍室下限設定温度との間の範囲に到るように圧縮器および循環ファンをオン/オフさせる第１段階と；前記第１段階の後、冷蔵室の感知温度を冷蔵室上限設定温度および冷蔵室下限設定温度と比較し、冷蔵室の感知温度が冷蔵室上限設定温度と冷蔵室下限設定温度との間の範囲に到るようにダンパーおよび循環ファンをオン/オフさせる第２段階と；前記第１段階で前記圧縮器および循環ファンがオンであり、前記第２段階で前記ダンパーが密閉であり、ノズルタイマが開放信号を出力すると、前記冷蔵室の複数の冷蔵空間のうち少なくとも一つの空間に冷気を吐出させる第３段階と、を含めて構成される冷蔵庫の温度制御方法を提供する。
【発明の効果】
【００４８】
本発明に係る冷蔵庫の温度制御方法は、圧縮器および循環ファンがオンであり、ダンパーがオフの場合、複数の冷蔵空間の一部に冷気が吐出されるようにし、前記冷蔵室に発生する温度偏差を改善する他、圧縮器および循環ファンを追加的に駆動させることなくノズルの開閉だけで温度偏差を改善でき、結果として電力効率の向上が図られる。
【００４９】
また、本発明に係る冷蔵庫の温度制御方法は、圧縮器および循環ファンがオンで、ダンパーがオフであり、ノズルタイマが開放信号を出力すると、複数の冷蔵空間の一部に冷気が吐出されるようにし、複数の冷蔵空間のうち一部空間の過冷を防ぐことができる。
【発明を実施するための最良の形態】
【００５０】
以下、本発明の好ましい実施例を添付図面を参照しつつ詳細に説明する。
【００５１】
図６は、本発明の一実施例による冷蔵庫の内部構成を示す正面図であり、図７は、本発明の一実施例による冷蔵庫の冷蔵室内部構成を示す側面図である。
【００５２】
本発明の一実施例による冷蔵庫は、図６および図７に示すように、冷気吐出ダクト２１と一端が通じ、他端が複数の冷蔵空間Ｒ１〜Ｒ６の一部空間Ｒ２〜Ｒ４と通ずる第２冷気吐出ダクト５２がバリア２に形成され、また、前記第２冷気吐出ダクト５２の他端には第２冷気吐出ダクト５２を通過する冷気を複数の冷蔵空間Ｒ１〜Ｒ６のうち一部空間Ｒ２〜Ｒ４に噴射するノズル６２〜６４が装着され、ノズル６２〜６４の各々には、それらの出口がバリア２に向かうようにして密閉させたり、ノズル６２〜６４の出口が複数の冷蔵空間Ｒ１〜Ｒ６のうちＲ２〜Ｒ４に向かうようにして開放させるノズルモータ７２〜７４が連結される。これら第２冷気吐出ダクト５２とノズル６２〜６４とノズルモータ７２〜７４以外の構成および作用は、従来の冷蔵庫におけると同様なので同一の符号を付け、その詳細な説明は省略するものとする。
【００５３】
図８は、本発明の一実施例による冷蔵庫の制御ブロック図である。
【００５４】
本実施例による冷蔵庫において、循環ファン１０および圧縮器４１がオンであり、ダンパー２４が密閉であると、前記制御部４６はノズル６２〜６４の出口が開放されるようにノズルモータ７２〜７４をオンにする。
【００５５】
また、本実施例による冷蔵庫は、前記ノズル６２〜６４を設定時間間隔に開放/密閉させるように周期的に開放信号と密閉信号を出力するノズルタイマ８２をさらに含めて構成され、前記制御部４６は、循環ファン１０および圧縮器４１がオンであり、ダンパー２４が密閉であり、ノズルタイマが開放信号を出力すると、ノズル６２〜６４の出口が開放されるようにノズルモータ７２〜７４をオンにする。
【００５６】
図９は、本発明の一実施例による冷蔵庫における温度制御方法を示す順序図である。
まず、本実施例による冷蔵庫では、前記制御部４６が、前記冷凍室温度センサー４４で感知された冷凍室Ｆの温度(Tf)と冷凍室Ｆの上限設定温度(Tfmax)とを比較する(Ｓ１１)。
【００５７】
この比較結果、前記冷凍室Ｆの温度(Tf)が冷凍室Ｆの上限設定温度(Tfmax)より高いか等しいと判断されると、前記制御部４６は、前記循環ファン１０と圧縮器４１をオンにする(Ｓ１２)。
【００５８】
このとき、前記制御部４６は、前記圧縮器４１のオンと同時に圧縮器クーリングファン４２をオンにする。
【００５９】
このように前記循環ファン１０および圧縮器４１がオンになると、冷凍室Ｆ内の空気が前記蒸発器２０と冷凍室Ｆを循環しながら冷凍室Ｆを低温に冷凍させる。
【００６０】
その後、前記制御部４６は、前記冷蔵室温度センサー４５で感知された冷蔵室Ｒの温度(Tr)と冷蔵室Ｒの上限設定温度(Trmax)とを比較する(Ｓ１３)。
【００６１】
前記制御部４６は、前記冷蔵室Ｒの温度(Tr)が冷蔵室Ｒの上限設定温度(Trmax)より高いか等しいと判断されると、前記ダンパー２４を開放させる(Ｓ１４)。
【００６２】
前記ダンパー２４が開放されると、前記蒸発器８により冷却された空気の一部は前記冷気吐出ダクト２１を通じて前記冷蔵室Ｒの上部に吐出され、吐出された冷気は前記冷蔵室Ｒの内部全体を対流しながら前記冷蔵室Ｒ内部を低温冷蔵させ、前記冷蔵室Ｒの下側方向に移動して前記冷気リターンダクト２２を通じて蒸発器８に循環される。
【００６３】
この時、前記制御部４６は、前記ノズルタイマ８２の開放信号/密閉信号とは無関係に前記ノズル６２〜６４の出口がバリア２に向かうようにノズルモータ７２〜７４を制御する(Ｓ１５)。
【００６４】
このようにノズル６２〜６４を密閉すると、前記冷気吐出ダクト２１を通過する冷気の一部が前記複数の冷蔵空間Ｒ１〜Ｒ６のうちＲ２〜Ｒ４に分散して吐出されず、その全部が前記冷蔵室Ｒの上部に吐出され、吐出された冷気は前記冷蔵室Ｒの内部全体を対流しながら前記冷蔵室Ｒ内部を低温冷蔵させる。
【００６５】
一方、前記制御部４６は、前記冷蔵室Ｒの温度(Tr)と冷蔵室Ｒの上限設定温度(Trmax)との比較結果、前記冷蔵室Ｒの温度(Tr)が冷蔵室Ｒの上限設定温度(Trmax)より低いと判断されると、前記冷蔵室Ｒの温度(Tr)と冷蔵室Ｒの下限設定温度(Trmin)とを比較する(Ｓ１６)。
【００６６】
その比較結果、前記制御部４６は、前記冷蔵室Ｒの温度(Tr)が冷蔵室Ｒの下限設定温度(Trmin)より低いと判断されると、前記ダンパー２４を密閉させる(Ｓ１７)。
【００６７】
このように前記ダンパー２４を密閉すると、前記冷蔵室Ｒの内側上部には冷気がそれ以上吐出されず、冷蔵室Ｒの内部は全体的に過冷されなくなる。
【００６８】
そして、前記制御部４６は、前記循環ファン１０および圧縮器４１がオンであり、前記ダンパー２４が密閉であると、前記ノズル６２〜６４の出口が複数の冷蔵空間Ｒ１〜Ｒ６のうちＲ２〜Ｒ４に向かうようにノズルモータ７２〜７４を制御する(Ｓ１９)。
【００６９】
ここで、前記制御部４６は、前記循環ファン１０および圧縮器４１がオンであり、前記ダンパー２４が密閉であり、また、前記ノズルタイマ８２から開放信号が出力されると、前記ノズル６２〜６４の出口が複数の冷蔵空間Ｒ１〜Ｒ６のうちＲ２〜Ｒ４に向かうようにノズルモータ７２〜７４を制御してもいい(Ｓ１８、Ｓ１９)。
【００７０】
要するに、前記ノズル６２〜６４を開放するか否かを、前記循環ファン１０と圧縮器４１とダンパー２４によってのみ決定してもよく、前記循環ファン１０と圧縮器４１とダンパー２４とノズルタイマ８２によって決定してもいい。
【００７１】
前記ノズル６２〜６４を開放すると、前記ダンパー２４により密閉された冷気は、前記複数の冷蔵空間Ｒ１〜Ｒ６のうちＲ２〜Ｒ４に吐出され、吐出された空気は複数の冷蔵空間Ｒ１〜Ｒ６のうちＲ２〜Ｒ４を低温冷蔵させた後、前記冷蔵室Ｒの下側方向に移動して前記冷気リターンダクト２２を通じて蒸発器８に循環される。
【００７２】
これにより、前記冷蔵室Ｒの温度(Tr)が冷蔵室Ｒの下限設定温度(Trmin)より小さい場合に発生する前記冷蔵室Ｒにおける弱冷部位を、圧縮器４１および循環ファン１０を追加的に駆動することなく低温冷蔵させることができる。
【００７３】
一方、前記制御部４６は、前記ノズルタイマ８２からの開放信号/密閉信号に応じて前記ノズル６２〜６４の開閉を決定する場合、前記循環ファン１０および圧縮器４１がオンであり、前記ダンパー２４が密閉であっても、前記ノズルタイマ８２から密閉信号が出力されると前記ノズル６２〜６４の出口がバリア２に向かうようにノズルモータ７２〜７４を制御する(Ｓ１８、Ｓ２０)。
【００７４】
このように前記ノズル６２〜６４を密閉することにより、冷気は前記複数の冷蔵空間Ｒ１〜Ｒ６のうちＲ２〜Ｒ４に吐出されず、それらＲ２〜Ｒ４は過冷されなくなる。
【００７５】
要するに、前記ノズルタイマ８２がオンの場合に限って弱冷部位に冷気が吐出されるようにし、弱冷部位の過冷を防ぎながら冷蔵室温度偏差を最小化する。
【００７６】
一方、前記制御部４６は、前記冷凍室Ｆの温度(Tf)と冷凍室Ｆの上限設定温度(Tfmax)との比較結果、前記冷凍室Ｆの温度(Tf)が冷凍室Ｆの上限設定温度(Tfmax)より低いと判断されると、前記冷凍室Ｆの温度(Tf)と冷凍室Ｆの下限設定温度(Tfmin)とを比較する(Ｓ２１)。
【００７７】
この比較結果、前記制御部４６は、前記冷凍室Ｆの温度(Tf)が冷凍室Ｆの下限設定温度(Tfmax)より低いと判断されると、前記圧縮器４１をオフにする(Ｓ２２)。
【００７８】
このとき、前記制御部４６は前記圧縮器４１のオフと同時に圧縮器クーリングファン４２をオフにする。
【００７９】
このように前記圧縮器４１がオフになると、時間の経過につれて前記蒸発器８の冷媒温度が上昇し、これにより、前記冷凍室Ｆと蒸発器８を循環する空気が昇温され、冷凍室Ｆが過冷されなくなる。
【００８０】
その後、前記制御部４６は、前記冷蔵室温度センサー４５で感知された冷蔵室Ｒの温度(Tr)と冷蔵室Ｒの上限設定温度(Trmax)とを比較する(Ｓ２３)。
【００８１】
この比較結果、前記制御部４６は、前記冷蔵室Ｒの温度(Tr)が冷蔵室Ｒの上限設定温度(Trmax)より高いか等しいと判断されると、前記ダンパー２４を開放させ、前記循環ファン１０をオンにする(Ｓ２４)。
【００８２】
このように前記ダンパー２４と循環ファン１０がオンになると、前記蒸発器８により冷却された空気の一部が前記冷気吐出ダクト２１を通じて前記冷蔵室Ｒに吐出され、吐出された冷気は前記冷蔵室Ｒの内部を対流しながら前記冷蔵室Ｒ内部を低温冷蔵させ、前記冷蔵室Ｒの下側方向に移動して前記冷気リターンダクト２２を通じて蒸発器８に循環される。
【００８３】
この時、前記制御部４６は前記ノズルタイマ８２の開放信号/密閉信号とは無関係に前記ノズル６２〜６４の出口がバリア２に向かうようにノズルモータ７２〜７４を制御する(Ｓ２５)。
【００８４】
前記ノズル６２〜６４の密閉により、前記冷気吐出ダクト２１を通過する冷気の一部が前記複数の冷蔵空間Ｒ１〜Ｒ６のうちＲ２〜Ｒ４に分散して吐出されず、その全部が前記冷蔵室Ｒの上部に吐出され、吐出された冷気は前記冷蔵室Ｒ内部全体を対流しながら前記冷蔵室Ｒの内部を低温冷蔵させる。
【００８５】
一方、前記制御部４６は、前記冷蔵室Ｒの温度(Tr)と冷蔵室Ｒの上限設定温度(Trmax)との比較結果、前記冷蔵室Ｒの温度(Tr)が冷蔵室Ｒの上限設定温度(Trmax)より低いと判断されると、前記冷蔵室Ｒの温度(Tr)と冷蔵室Ｒの下限設定温度(Trmin)とを比較する(Ｓ２６)。
【００８６】
この比較結果、前記制御部４６は、前記冷蔵室Ｒの温度(Tr)が冷蔵室Ｒの下限設定温度(Trmin)より低いと判断されると、前記ダンパー２４を密閉させ、前記循環ファン１０をオフにする(Ｓ２７)。
【００８７】
このように前記ダンパー２４を密閉させ、前記循環ファン１０をオフすると、前記冷蔵室Ｒには冷気が吐出されず、冷蔵室Ｒの内部は過冷されなくなる。
【００８８】
このとき、前記制御部４６は、前記循環ファン１０がオフになっているので、前記ノズルタイマ８２の開放信号/密閉信号とは無関係に前記ノズル６２〜６４の出口がバリア２に向かうようにノズルモータ７２〜７４を制御する(Ｓ２８)。
【００８９】
このように前記ノズル６２〜６４を密閉すると、冷気は前記複数の冷蔵空間Ｒ１〜Ｒ６のうちＲ２〜Ｒ４に吐出されず、前記複数の冷蔵空間Ｒ１〜Ｒ６のうちＲ２〜Ｒ４は過冷されなくなる。
【００９０】
要するに、前記ダンパー２４が密閉であっても前記循環ファン１０がオフなら、前記ノズル６２〜６４を密閉させて余分のノズルモータ７２〜７４の作動を防ぎ、消費電力の浪費を防ぐことができる。
【００９１】
一方、前記圧縮器４１、循環ファン１０、ダンパー２４のオン/オフおよびノズル６２〜６４の開閉タイミングを図１０に示す。
【００９２】
図１０は、本発明の一実施例による冷蔵庫の温度制御方法による冷蔵庫の動作タイミング図である。
【００９３】
図１０に示すように、前記ノズル６２〜６４を通じて冷気が吐出される区間Ｐ１、Ｐ２、Ｐ３は、前記循環ファン１０、圧縮器４１およびノズルタイマ８２がオン状態で、前記ダンパー２４はオフ状態の区間である。
【００９４】
また、前記循環ファン１０とダンパー２４と圧縮器４１のオン/オフ状態と、前記ノズル６２〜６４の開閉状態を、表１に示す。
【００９５】
【表１】
2004301493.tif 000003
【００９６】
前記表１および図１０に示すように、前記循環ファン１０および圧縮器４１がオンで、前記ダンパー２４がオフの場合、冷蔵室Ｒの弱冷部位に冷気を吐出させたり、前記循環ファン１０および圧縮器４１がオンで、前記ダンパー２４がオフであり、前記ノズルタイマ８２がオンの場合、冷蔵室Ｒの弱冷部位に冷気を吐出させることによって、循環ファン１０および圧縮器４１を追加的に駆動させることなく前記冷蔵室Ｒの温度偏差を改善させることができる。
【図面の簡単な説明】
【００９７】
【図１】図１は、従来の技術に係る冷蔵庫において冷凍室および冷蔵室ドアが開いた状態を示す斜視図である。
【図２】図２は、従来の技術に係る冷蔵庫の内部構成を示す正面図である。
【図３】図３は、従来の技術に係る冷蔵庫の冷蔵室内部構成を示す側面図である。
【図４】図４は、従来の技術に係る冷蔵庫の制御ブロック図である。
【図５】図５は、従来の技術に係る冷蔵庫における温度制御方法を示す順序図である。
【図６】図６は、本発明の一実施例による冷蔵庫の内部構成を示す正面図である。
【図７】図７は、本発明の一実施例による冷蔵庫の冷蔵室内部構成を示す側面図である。
【図８】図８は、本発明の一実施例による冷蔵庫の制御ブロック図である。
【図９】図９は、本発明の一実施例による冷蔵庫における温度制御方法を示す順序図である。
【図１０】図１０は、本発明の一実施例による冷蔵庫の温度制御方法による冷蔵庫の動作タイミング図である。
【符号の説明】
【００９８】
８…蒸発器
１０…循環ファン
２４…ダンパー
Ｒ１〜Ｒ６…冷蔵空間
４１…圧縮器
４２…圧縮器クーリングファン
４４…冷凍室温度センサー
４５…冷蔵室温度センサー
４６…制御部
６２〜６４…ノズル
８２…ノズルタイマ
【図１】
2004301493.tif 000004
【図２】
2004301493.tif 000005
【図３】
2004301493.tif 000006
【図４】
2004301493.tif 000007
【図５】
2004301493.tif 000008
【図６】
2004301493.tif 000009
【図７】
2004301493.tif 000010
【図８】
2004301493.tif 000011
【図９】
2004301493.tif 000012
【図１０】
2004301493.tif 000013